(57)【特許請求の範囲】
【請求項１】
第１先端端子と第１末端端子を備えた第１パイロット線と、第２先端端子と第２末端端子を備えた第２パイロット線とを備えた複数のケーブルを順次監視するためのケーブル監視装置であって、
前記第１及び第２末端端子の間に接続された末端抵抗と、
前記第１及び第２先端端子のそれぞれを第１及び第２入力端子のそれぞれに接続するケーブル接続手段と、
２つの電源端子のうちの一方が前記第１入力端子と接続された電源と、
第１及び第２検出端子を有し、両検出端子間に流れる電流を測定すると共に、前記第１検出端子が前記２つの電源端子のうち前記第１入力端子とは反対側の電源端子に接続された電流検出手段と、
前記電流検出手段の前記第１及び第２検出端子のうちのいずれかを択一的に前記第２入力端子に接続する端子切換手段と、
前記端子切換手段−前記第２入力端子を結ぶ信号経路と前記第１入力端子−前記２つの電源端子のうち前記第１入力端子に接続された電源端子を結ぶ信号経路との間に接続されたコンデンサと
を備えたことを特徴とするケーブル監視装置。
【請求項２】
請求項１記載の前記ケーブル監視装置であって、
前記ケーブル接続手段によって前記第１及び第２先端端子のそれぞれと第１及び第２入力端子のそれぞれとが接続されたとき、前記端子切換手段に指令して前記コンデンサを放電させるのに十分な時間だけ前記電流検出手段の前記第１検出端子と前記第２入力端子とを接続させ、その後前記端子切換手段に指令して前記電流検出手段の前記第２検出端子と前記入力端子とを接続させる端子切換制御手段と、
前記端子切換制御手段の指令により前記端子切換手段が前記電流検出手段の前記第２検出端子と前記入力端子とを接続した後、前記電流検出手段によって検出された検出信号に基づいて前記第１又は第２パイロット線が断線したか否かを判断する判断手段と、
前記判断手段によって前記第１又は第２パイロット線が断線したと判断されたとき外部に報知する報知手段と
を備えたことを特徴とするケーブル監視装置。
【請求項３】
請求項２記載の前記ケーブル監視装置であって、
前記判断手段は、さらに、前記電流検出手段によって検出された検出信号に基づいて前記第１及び第２パイロット線の間が絶縁不良か否かを判断し、
前記報知手段は、さらに、前記判断手段によって前記第１又は第２パイロット線が絶縁不良であると判断されたとき外部に報知する
を備えたことを特徴とするケーブル監視装置。
【請求項４】
請求項１〜３のいずれかに記載のケーブル監視装置であって、前記複数のケーブルから１のケーブルを順次選択し、該選択されたケーブルの前記第１及び第２先端端子のそれぞれを前記ケーブル接続手段によって第１及び第２入力端子のそれぞれに接続するケーブル接続制御手段
を備えたことを特徴とするケーブル監視装置。
【請求項５】
請求項１〜４のいずれかに記載のケーブル監視装置であって、
前記第１及び第２パイロット線は、前記ケーブルの芯線の外方に設けられていることを特徴とするケーブル監視装置。
【発明の詳細な説明】
【０００１】
【発明の属する技術分野】
本発明は、ケーブルの断線を把握するためのケーブル監視装置に関する。
【０００２】
【従来の技術】
一般に、ケーブルは、互いに絶縁された複数の芯線を有している。このケーブルの芯線同士の絶縁が低下したことを把握する方法として、従来より以下の方法が知られていた。すなわち、ケーブルの絶縁体に２本のパイロット線を設け、この両パイロット線の末端同士はオープンな状態とし、先端同士に電圧を印加する。そしてこのときに流れる電流を測定し、電流値が所定の電流しきい値を越えていれば、両パイロット線の絶縁が不良であると判断する。両パイロット線が絶縁不良と判断された場合、ケーブルの芯線同士も絶縁不良になっているか又はそのおそれがある。
【０００３】
【発明が解決しようとする課題】
しかしながら、上記のようにケーブルの芯線同士の絶縁不良を把握する方法は知られていたものの、ケーブルの断線を把握する方法は知られていなかった。
そこで、本発明者は、図４に例示するように、両パイロット線Ｌ１、Ｌ２の末端端子１３、１４の間に末端抵抗Ｒｅを接続し、両パイロット線Ｌ１、Ｌ２の先端端子１１、１２の間に電圧を印加して、そのときに流れる電流を電流検出器で検出する装置を案出した。この場合、両パイロット線Ｌ１、Ｌ２のいずれも断線していなければ電流が流れ、両パイロット線Ｌ１、Ｌ２の少なくとも一方が断線していれば電流が流れない。ここで、両パイロット線Ｌ１、Ｌ２の少なくとも一方が断線していれば、ケーブルの芯線（信号線）も断線しているか、又は断線するおそれがある。このため、電流検出器の検出信号（電流値）に基づいて、ケーブルの芯線の断線状況を把握できる。
【０００４】
ところで、ケーブルを敷設した場所が例えば鉄道車両の駅構内のようなノイズの多いところだと、ケーブルがノイズを拾うために両パイロット線Ｌ１、Ｌ２を流れる電流値を正確に測定できないという不都合が生じる。この不都合を回避するために、ノイズカット用のフィルタ回路としてコンデンサを組み込むことが考えられる（図５参照）。
【０００５】
しかし、図５のように複数のケーブルについて順次断線の検査を行う場合、このようなフィルタ回路が存在すると、前回検査を行った両パイロット線Ｌ１、Ｌ２の少なくとも一方が断線していた場合にはフィルタ回路のコンデンサは放電されず充電されたままの状態となっているため、今回検査を行うケーブルのパイロット線Ｌ１、Ｌ２に流れる電流は検査開始当初はコンデンサによってまかなわれることになる。このため、電流検出器で検出される電流は僅かとなるので、今回の両パイロット線Ｌ１、Ｌ２のいずれもが断線していないにもかかわらず誤って断線と判断されるおそれがある。
【０００６】
本発明は上記課題に鑑みなされたものであり、ノイズを受けやすい場所に敷設された複数のケーブルについて順次断線の監視を行う場合であっても、断線状況を正確に把握できるケーブル監視装置を提供することを目的とする。
【０００７】
【課題を解決するための手段及び発明の効果】
上記課題を解決するため、本発明は、第１先端端子と第１末端端子を備えた第１パイロット線と、第２先端端子と第２末端端子を備えた第２パイロット線とを備えた複数のケーブルを順次監視するためのケーブル監視装置であって、
前記第１及び第２末端端子の間に接続された末端抵抗と、
前記第１及び第２先端端子のそれぞれを第１及び第２入力端子のそれぞれに接続するケーブル接続手段と、
２つの電源端子のうちの一方が前記第１入力端子と接続された電源と、
第１及び第２検出端子を有し、両検出端子間に流れる電流を測定すると共に、前記第１検出端子が前記２つの電源端子のうち前記第１入力端子とは反対側の電源端子に接続された電流検出手段と、
前記電流検出手段の前記第１及び第２検出端子のうちのいずれかを択一的に前記第２入力端子に接続する端子切換手段と、
前記端子切換手段−前記第２入力端子を結ぶ信号経路と前記第１入力端子−前記２つの電源端子のうち前記第１入力端子に接続された電源端子を結ぶ信号経路との間に接続されたコンデンサと
を備えたことを特徴とする。
【０００８】
このケーブル監視装置では、ケーブル内に設けた両パイロット線の末端同士の間に末端抵抗を接続し、両パイロット線の先端同士に電源によって電圧を印加して、そのときに流れる電流を電流検出手段で検出する。この場合、両パイロット線のいずれも断線していなければ電流が流れ、両パイロット線の少なくとも一方が断線していれば電流が流れない。ここで、両パイロット線の少なくとも一方が断線していれば、ケーブルの芯線（信号線）も断線しているか、又は断線するおそれがある。このため、電流検出手段の検出信号（電流値）に基づいて、ケーブルの芯線の断線状況を把握できる。
【０００９】
また、このケーブル監視装置では、ケーブル接続手段によって、所定のケーブルの両パイロット線の第１及び第２先端端子のそれぞれと、第１及び第２入力端子のそれぞれとを接続する。この接続を行う前に又は接続すると同時に、端子切換手段によって、コンデンサを放電させるのに十分な時間だけ、測定休止状態（電流検出手段の第１検出端子と第２入力端子とを接続させ、電流検出手段に電流を流さない状態）にする。ここで、前回検査を行ったケーブルの両パイロット線の少なくとも一方が断線していた場合にはフィルタ回路のコンデンサは放電されず充電されたままの状態となっているが、その後測定休止状態においてコンデンサを放電したのち測定状態（電流検出手段の第２検出端子と第２入力端子とを接続させ、電流検出手段に電流を流す状態）に切り換えて今回検査を行うケーブルの両パイロット線に流れる電流を検出するため、検出電流値はコンデンサの影響を受けることがない。また、ケーブルがノイズを拾ったとしてもコンデンサによってそのノイズはカットされるため、検出電流値はノイズの影響を受けることもない。
【００１０】
したがって、このケーブル監視装置によれば、ノイズを受けやすい場所に敷設された複数のケーブルについて順次断線の監視を行う場合であっても、断線状況を正確に把握できるという効果が得られる。
本発明のケーブル監視装置は、
前記ケーブル接続手段によって前記第１及び第２先端端子のそれぞれと第１及び第２入力端子のそれぞれとが接続されたとき、前記端子切換手段に指令して前記コンデンサを放電させるのに十分な時間だけ前記電流検出手段の前記第１検出端子と前記第２入力端子とを接続させ、その後前記端子切換手段に指令して前記電流検出手段の前記第２検出端子と前記入力端子とを接続させる端子切換制御手段と、
前記端子切換制御手段の指令により前記端子切換手段が前記電流検出手段の前記第２検出端子と前記入力端子とを接続した後、前記電流検出手段によって検出された検出信号に基づいて前記第１又は第２パイロット線が断線したか否かを判断する判断手段と、
前記判断手段によって前記第１又は第２パイロット線が断線したと判断されたとき外部に報知する報知手段と
を備えていてもよい。
【００１１】
この場合、検出電流値がコンデンサの影響を受けないように端子切換制御手段が端子切換手段に指令して測定休止状態と測定状態との間で切り換えを行い、判断手段が測定状態時に検出された電流値に基づいて第１又は第２パイロット線が断線したか否かを判断し、断線した場合には報知手段が外部に報知する。このため、オペレータは電流検出手段によって検出される電流値をチェックして自分で断線の有無を判断する必要はなく、作業負担が軽くなるという効果が得られる。なお、判断手段は、検出電流値と断線判定用の電流しきい値とを比較しその結果に応じて断線したか否かを判断してもよいし、検出電流値から両パイロット線の間の抵抗（線間抵抗）を求めてこの線間抵抗値と断線判定用の抵抗しきい値とを比較しその結果に応じて断線したか否かを判断してもよい。
【００１２】
ここで、前記判断手段は、さらに、前記電流検出手段によって検出された検出信号に基づいて前記第１パイロット線と前記第２パイロット線との間が絶縁不良になったか否かを判断し、前記報知手段は、さらに、前記判断手段によって前記第１パイロット線と前記第２パイロット線との間が絶縁不良になったと判断されたときに外部に報知するように構成してもよい。この場合、判断手段が両パイロット線間の絶縁不良をも判断し、絶縁不良の場合には報知手段が外部に報知する。このため、一つの装置でケーブルの断線状況を把握できるほか、ケーブルの絶縁状況をも把握できる。なお、この場合、測定休止状態は、コンデンサを放電させるのに十分な時間とコンデンサを充電させるのに十分な時間のうち、いずれか長い方に設定する。また、判断手段は、検出電流値と絶縁不良判定用の電流しきい値とを比較しその結果に応じて絶縁不良か否かを判断してもよいし、検出電流値から両パイロット線の間の抵抗（線間抵抗）を求めてこの線間抵抗値と絶縁不良判定用の抵抗しきい値とを比較しその結果に応じて絶縁不良か否かを判断してもよい。
【００１３】
また、本発明のケーブル監視装置は、前記複数のケーブルから１のケーブルを順次選択し、該選択されたケーブルの前記第１及び第２先端端子のそれぞれを前記ケーブル接続手段によって第１及び第２入力端子のそれぞれに接続するケーブル接続制御手段を備えていてもよい。この場合、ケーブル接続制御手段が順次ケーブルを切り換えていくため、オペレータの作業負担は一層軽くなる。
【００１４】
さらに、前記第１及び第２パイロット線は、前記ケーブルの芯線よりも外側に設けられていることが好ましい。この場合、例えば両パイロット線のいずれか一方が断線していたとしても、両パイロット線は芯線（信号線）の外側に配設されているため、その内側の芯線までも断線しているとは限らない。このため、ケーブルの芯線が断線したときのほか、ケーブルの芯線がまもなく断線してしまうという状況をも把握できる。また、例えば両パイロット線間の絶縁が不良だったとしても、芯線まで絶縁不良となっているとは限らない。このため、ケーブルの芯線同士の絶縁が不良となったときのほか、ケーブルの芯線同士がまもなく絶縁不良になるという状況をも把握できる。
【００１５】
【発明の実施の形態】
以下に、本発明の好適な実施形態を図面に基づいて説明する。
図１は本実施形態の概略構成図、図２はケーブルの断面図である。
このケーブル監視装置は、図１に示すように複数（ｎ本）のケーブルＣＡ1〜ＣＡn、ケーブル接続スイッチ２０、電流測定回路３０、コントローラ４０、警報装置４１、抵抗表示装置４２を備えている。
【００１６】
ケーブルＣＡk （ｋは１〜ｎのいずれかの整数）は、図２に示すように、複数の芯線１５、１５、…と、これら芯線１５の外方に設けられた第１及び第２パイロット線Ｌ１、Ｌ２と、これらを取り囲む介在物１６と、介在物１６の外周を囲むシース１７と、シース１７内に設けられた鋼帯１８とを備えたものである。芯線１５は導線１５ａを絶縁体１５ｂで被覆した構造であり、第１及び第２パイロット線Ｌ１、Ｌ２も同様の構造である。また、図１に示すように、第１パイロット線Ｌ１は第１先端端子１１及び第１末端端子１３を備えており、第２パイロット線Ｌ２は第２先端端子１２及び第２末端端子１４を備えている。また、第１及び第２末端端子１３、１４の間には末端抵抗Ｒｅ（ここでは２ＭΩ）が接続されている。
【００１７】
ケーブル接続手段としてのケーブル接続スイッチ２０は、第１及び第２入力端子２１、２２のそれぞれと、複数のケーブルＣＡ1〜ＣＡnのうちの一のケーブルＣＡk の第１及び第２先端端子１１、１２のそれぞれとを接続するものである。このケーブル接続スイッチ２０は外部からの指令によって、本実施形態ではコントローラ４０からの指令信号によって作動する。
【００１８】
電流測定回路３０は、ケーブルＣＡk における第１パイロット線Ｌ１−末端抵抗Ｒｅ−第２パイロット線Ｌ２を流れる電流を測定するための回路である。この電流測定回路３０のうち、第１入力端子２１は直流電源２３の一方（マイナス）の電源端子２４に接続されている。電流検出手段としての電流検出器２６は第１及び第２検出端子２８、２９の間に流れる電流を測定するものであり、第１検出端子２８は直流電源２３の他方（プラス）の電源端子２５に接続されている。
【００１９】
端子切換手段としての端子切換スイッチ２７は、電流検出器２６の第１及び第２検出端子２８、２９のうちのいずれかを択一的に第２入力端子２２に接続するスイッチである。この端子切換スイッチ２７は、外部からの指令によって、本実施形態ではコントローラ４０からの指令信号によって作動する。なお、端子切換スイッチ２７により電流検出器２６の第１検出端子２８が第２入力端子２２に接続された状態を測定休止状態、電流検出器２６の第２検出端子２９が第２入力端子２２に接続された状態を測定状態と称することとする。
【００２０】
コンデンサＣは、端子切換スイッチ２７−第２入力端子２２を結ぶ信号経路Ｌｂと第１入力端子２１−直流電源２３の一方の電源端子２４を結ぶ信号経路Ｌａとの間に接続されている。信号経路ＬａにはコンデンサＣに流れ込む電流を制限するための抵抗Ｒ２、Ｒ４が設けられ、信号経路Ｌｂには同じく抵抗Ｒ１、Ｒ３が設けられている。これらコンデンサＣ及び抵抗Ｒ１〜Ｒ４は、ケーブルＣＡｋ（ｋは１〜ｎの任意の整数）の第１及び第２パイロット線Ｌ１、Ｌ２が周囲のノイズを拾ったときにそのノイズをカットするためのフィルタ回路３１を構成する。すなわち、フィルタ回路３１は電流検出器２６がノイズによって誤検出することを防止している。このようなフィルタ回路３１は鉄道の駅構内などのようにノイズの多い箇所に設けられたケーブルを監視する際には有用である。なお、ノイズの大きさに応じてフィルタ回路３１を複数設けてもよい。
【００２１】
コントローラ４０は、周知のＣＰＵ、ＲＯＭ、ＲＡＭ、クロック、カウンタなどを備えた装置であり、電流検出器２６からの検出信号を入力可能に接続され、またケーブル接続スイッチ２０、端子切換スイッチ２７、警報装置４１、抵抗表示装置４２へ制御信号を出力可能に接続されている。警報装置４１は図示しないディスプレイにケーブルＣＡ1〜ＣＡnの監視状況を表示するものであり、抵抗表示装置４２は測定中のケーブルＣＡk の第１及び第２パイロット線Ｌ１、Ｌ２の線間抵抗を表示するものである。なお、このコントローラ４０がケーブル接続制御手段、端子切換制御手段および判断手段に相当し、警報装置４１が報知手段に相当する。
【００２２】
次に、本実施形態のケーブル監視装置の動作について説明する。図３はケーブル監視装置のコントローラが実行するケーブル監視処理のフローチャートである。
コントローラ４０の図示しないＲＯＭには、種々の制御プログラムが記録されているが、そのうちの一つにケーブル監視プログラムがある。コントローラ４０の図示しないＣＰＵは、図示しない監視実行スイッチがオンされると、上記ケーブル監視プログラムに基づいて図３に示すケーブル監視処理を実行する。
【００２３】
この処理が実行されると、まず、Ｓ２０１において、コントローラ４０は図示しないケーブル番号カウンタの値ｋをリセットし、次いでＳ２０２において、このケーブル番号カウンタの値ｋをインクリメントする。
続くＳ２０３において、コントローラ４０は端子切換スイッチ２７に信号を送り、電流検出器２６の第１検出端子２８と第２入力端子２２とを電気的に接続させる（すなわち測定休止状態にする）と共に、ケーブル接続スイッチ２０に信号を送り、ケーブルＣＡk の第１及び第２先端端子１１、１２のそれぞれを第１及び第２入力端子２１、２２のそれぞれに接続させる。
【００２４】
続くＳ２０４において、コントローラ４０は所定時間ｔａ（コンデンサＣが充電するのに十分な時間又は放電するのに十分な時間のいずれか長い方）が経過したか否かを判断する。そして、Ｓ２０４において所定時間ｔａが経過したならば、Ｓ２０５において、端子切換スイッチ２７に信号を送り、電流検出器２６の第２検出端子２９と第２入力端子２２とを電気的に接続させ（すなわち測定状態にする）、Ｓ２０６に進む。一方、Ｓ２０４において所定時間ｔａが経過していなければ、所定時間ｔａが経過するまで待機する。
【００２５】
そして、Ｓ２０６において断線と判断されたならば、続くＳ２０７において、コントローラ４０は警報装置４１に信号を送り、警報装置４１により外部に報知させる。例えば、警報装置４１は、ケーブルＣＡk の第１又は第２パイロット線Ｌ１、Ｌ２の少なくとも一方が断線している旨（又はケーブルＣＡk の芯線が断線しているか、もしくはそのおそれがある旨）を図示しないディスプレイ上に表示するか、あるいは警報を鳴らす。そしてその後Ｓ２０８に進む。一方、Ｓ２０６において断線していないと判断されたならば、そのままＳ２０８に進む。
【００２６】
Ｓ２０８において、コントローラ４０は上述の電流検出器２６の検出信号に基づいて、今度はケーブルＣＡk の第１及び第２パイロット線Ｌ１、Ｌ２の間の絶縁が不良か否かを判断する。具体的には、電流検出器２６で検出された電流値Ｉｍと絶縁不良判定用の電流しきい値Ｉｔ２とを比較し、電流値Ｉｍがこの電流しきい値Ｉｔ２以下ならば絶縁良好、電流しきい値Ｉｔ２を上回れば絶縁不良と判断する。あるいは、電流検出器２６で検出された電流値Ｉｍからパイロット線Ｌ１、Ｌ２の線間抵抗値Ｒｍを求め、その線間抵抗値Ｒｍと絶縁不良判定用の抵抗しきい値Ｒｔ２とを比較し、この抵抗しきい値Ｒｔ２を上回れば絶縁良好、抵抗しきい値Ｒｔ２以下なら絶縁不良と判断してもよい。
【００２７】
そして、Ｓ２０８において絶縁不良と判断されたならば、続くＳ２０９において、コントローラ４０は警報装置４１に信号を送り、警報装置４１によって外部に報知させる。例えば、警報装置４１は、ケーブルＣＡk の第１又は第２パイロット線Ｌ１、Ｌ２の間の絶縁が不良である旨（又はケーブルＣＡｋの芯線間の絶縁が不良であるか、もしくはそのおそれがある旨）を図示しないディスプレイ上に表示するか、あるいは警報を鳴らす。そしてその後Ｓ２１０に進む。一方、Ｓ２０８において絶縁良好と判断されたならば、そのままＳ２１０に進む。
【００２８】
そして、Ｓ２１０において、ケーブル番号カウンタの値ｋが所定数ｎ（ケーブルの総数）と一致するかどうかを判断し、一致しなければＳ２０２以下の処理を繰り返し、一致したならばＳ２０１以下の処理を繰り返す。
なお、本実施形態ではコントローラ４０は電流検出器２６からの電流値ＩｍからケーブルＣＡk の第１及び第２パイロット線Ｌ１、Ｌ２の線間抵抗値Ｒｍを算出し、抵抗表示装置４２にその線間抵抗値Ｒｍを表示させる。抵抗表示装置４２に表示される線間抵抗値Ｒｍは、コントローラ４０が電流値Ｉｍから合成抵抗Ｒｓを算出し、１／Ｒｓ＝１／Ｒｅ＋１／Ｒｍより算出した値である。オペレータは抵抗表示装置４２に表示される線間抵抗値Ｒｍが例えば１〜３ＭΩならば両パイロット線Ｌ１、Ｌ２は正常と判断し、１ＭΩ以下ならば両パイロット線Ｌ１、Ｌ２の間の絶縁が不良である（ケーブルＣＡk の芯線同士が絶縁不良であるか又はそのおそれがある）と判断し、３ＭΩ以上ならば両パイロット線Ｌ１、Ｌ２の少なくとも一方が断線した（ケーブルＣＡk の芯線が断線しているか又はそのおそれがある）と判断することができる。
【００２９】
以上のケーブル監視処理では、Ｓ２０３〜Ｓ２０５において、所定時間ｔａが経過する前は測定休止状態とし、所定時間ｔａが経過した後に測定状態となるように端子切換スイッチ２７を制御したが、これにより、フィルタ回路３１のコンデンサＣの影響による電流検出器２６の検出値の変動を解消している。
【００３０】
すなわち、例えば前回第１及び第２入力端子２１、２２と接続されていたケーブルＣＡk-1 が短絡しており、今回のケーブルＣＡk は正常な場合を想定すると、ケーブルＣＡk に接続が切り替わった直後は、コンデンサＣは十分に充電されていない状態から充電されることになる。このとき、端子切換スイッチ２７により第２検出端子２９と第２入力端子２２とが接続されていれば、つまり、電流検出器２６に電流が流れるならば、電流検出器２６はコンデンサＣを充電するために流れる電流値を検出することになるため、大きな電流値を検出する。このため、ケーブルＣＡk の第１及び第２パイロット線Ｌ１、Ｌ２は正常であるにもかかわらず、大きな電流値が検出されることから、ケーブルＣＡk の第１及び第２パイロット線Ｌ１、Ｌ２は絶縁不良と判断されるおそれがある。このおそれを解消するために、ケーブルＣＡk に接続が切り替わった直後は、測定休止状態とし、その後コンデンサＣの影響がなくなってから測定状態に切り換えて電流を検出するようにしたのである。
【００３１】
また、前回第１及び第２入力端子２１、２２が接続されていたケーブルＣＡk-1 が断線しており、今回のケーブルＣＡk は正常な場合を想定すると、ケーブルＣＡk に接続が切り替わった直後は、コンデンサＣは十分に充電された状態から放電することになり、ケーブルＣＡk の第１パイロット線Ｌ１−末端抵抗Ｒｅ−第２パイロット線Ｌ２に流れる電流は直流電源２３によってまかなわれるのではなくコンデンサＣによってまかなわれる。このとき、端子切換スイッチ２７により第２検出端子２９と第２入力端子２２とが接続されていれば、電流検出器２６は小さな電流値を検出する。このため、ケーブルＣＡk の第１及び第２パイロット線Ｌ１、Ｌ２は正常であるにもかかわらず、小さな電流値が検出されたことから、ケーブルＣＡk の第１及び第２パイロット線Ｌ１、Ｌ２のいずれかが断線していると判断されるおそれがある。このおそれを解消するために、ケーブルＣＡk に接続が切り替わった直後は、測定休止状態とし、その後コンデンサＣの影響がなくなってから測定状態に切り換えて電流を測定するようにしたのである。
【００３２】
以上詳述したように、上記ケーブル監視装置によれば、ケーブルＣＡk の断線状況を容易に把握できるという効果が得られる。また、オペレータは抵抗表示装置４２の線間抵抗値Ｒｍを見ながら自ら断線の有無を判断してもよいが、ケーブルＣＡk が断線しているか又は断線のおそれのある場合には警報装置４１によって報知されるため、自ら断線の有無を判断する必要がなく、作業負担が軽くなるという効果が得られる。さらに、両パイロット線Ｌ１、Ｌ２は芯線１５よりも外側に設けたため、ケーブルＣＡk の芯線１５が断線したときはもちろんのこと、ケーブルＣＡk の芯線１５がまもなく断線してしまうという状況をも把握できる。さらにまた、いわゆるポーリング方式（順次ケーブルを切り換えていく方式）を採用したため、装置構成がコンパクトになるという効果が得られる。そのうえ、第１及び第２パイロット線Ｌ１、Ｌ２の末端同士を接続したため、一つの装置でケーブルの断線状況を把握できるほか、ケーブルの絶縁状況をも把握できるという効果が得られる。
【００３３】
特に上記ケーブル監視装置によれば以下の効果が得られる。すなわち、検出電流値は、フィルタ回路３１のコンデンサＣによってノイズがカットされるためノイズの影響を受けないし、またケーブル切換後に一旦測定休止状態としたうえで測定状態に切り換えて電流を検出するためコンデンサＣの影響を受けることもない。したがって、ノイズを受けやすい場所に敷設された複数のケーブルＣＡ1 〜ＣＡn について順次断線の監視を行う場合であっても、断線状況を正確に把握できるという効果が得られる。
【００３４】
尚、本発明の実施の形態は、上記実施形態に何ら限定されるものではなく、本発明の技術的範囲に属する限り種々の形態を採り得ることはいうまでもない。
例えば、コントローラ４０が所定のタイミングでケーブル接続スイッチ２０や端子切換スイッチ２７を切り換える構成としたが、オペレータがこれらのスイッチ２０、２７を手動で切り換える構成としてもよい。
【００３５】
また、監視対象となるケーブルＣＡ1〜ＣＡnは必ずしも複数である必要はなく、一本でもよい。
さらに、上記実施形態で用いたケーブルＣＡk は第１及び第２パイロット線Ｌ１、Ｌ２が芯線１５の外側に設けられていたが、複数の芯線１５の任意の２本を第１及び第２パイロット線としてもよい。
【００３６】
さらにまた、上記実施形態で用いたケーブルＣＡk につき第２パイロット線Ｌ２を省略し、鋼帯１８を第２パイロット線Ｌ２の代わりに用いてもよい。この場合、ケーブル監視装置は第１パイロット線Ｌ１又は鋼帯１８の断線状況、第１パイロット線Ｌ１と鋼帯１８との間の絶縁状況を把握することになる。
【図面の簡単な説明】
【図１】  本実施形態の概略構成図である。
【図２】  ケーブルの断面図である。
【図３】  本実施形態のケーブル監視処理のフローチャートである。
【図４】  ケーブルの断線を把握できるケーブル監視装置の概略構成図である。
【図５】  フィルタ回路付きのケーブル監視装置の概略構成図である。
【符号の説明】
３０・・・電流測定回路、１１・・・第１先端端子、１２・・・第２先端端子、１３・・・第２末端端子、１４・・・第２末端端子、１５・・・芯線、２０・・・ケーブル接続スイッチ、２１・・・第１入力端子、２２・・・第２入力端子、２３・・・直流電源、２４・・・一方の電源端子、２５・・・他方の電源端子、２６・・・電流検出器、２７・・・端子切換スイッチ、２８・・・第１検出端子、２９・・・第２検出端子、３１・・・フィルタ回路、４０・・・コントローラ、４１・・・警報装置、４２・・・抵抗表示装置、Ｃ・・・コンデンサ、ＣＡ1〜ＣＡn・・・ケーブル、Ｌ１・・・第１パイロット線、Ｌ２・・・第２パイロット線、Ｒｅ・・・末端抵抗。
【図１】
0003847919.tif 000002
【図２】
0003847919.tif 000003
【図３】
0003847919.tif 000004
【図４】
0003847919.tif 000005
【図５】
0003847919.tif 000006